(57)【要約】【課題】  携帯型情報端末等を使用して代金の支払い等を容易に行うことのできる決済サーバを提供することである。【解決手段】  携帯型情報端末１は、インターネット４を介して認証サーバ２２に接続し、バーコード情報の返信を依頼した後、バーコード情報を受信する。携帯型情報端末１は、ディスプレイにバーコードパターンを表示する。ＰＯＳレジスタ３２は、このバーコードパターンをバーコードリーダ３１を介して読み取り、取得したバーコード情報を決済コントローラ３３に供給する。決済コントローラ３３は、専用回線５を介して決済サーバ２４に接続して決済情報を取得する。ＰＯＳレジスタ３２は、決済コントローラ３３を介して取得した決済情報に従って、請求金額を算出する。ＰＯＳレジスタ３２は、利用者から受け取った金額を入力すると、決済情報を印刷したレシートを発行する。【選択図】  図１
2005302048.tif 000002
【特許請求の範囲】
【請求項１】
決済情報を携帯端末装置に送信して、当該携帯端末装置にコードパターンを表示させる決済サーバであって、
決済情報を記憶する決済情報記憶手段と、
携帯端末装置から送信される決済要求情報に基づいて、保持している決済情報から対象の決済情報を読み出して携帯端末装置に送信する決済情報送信手段と、を備え、
前記決済情報送信手段は、携帯端末装置が表示したコードパターンを決済装置に読み取らせ、当該決済装置にて復号した決済の請求金額を表示させて決済を行わせるために、決済情報を送信する、
ことを特徴とする決済サーバ。
【請求項２】
コード情報を携帯端末装置に送信して、当該携帯端末装置にコードパターンを表示させる決済サーバであって、
決済情報を当該決済情報を特定する決済管理番号と共に記憶する決済情報記憶手段と、
携帯端末装置から送信される決済要求情報に基づいて、前記決済情報記憶手段に記憶される決済情報から対象の決済管理番号を読み出し、当該決済管理番号を、コードパターンを規定するコード情報に変換するコード変換手段と、
前記コード変換手段が変換したコード情報を携帯端末装置に送信するコード情報送信手段と、
当該コード情報を受信した携帯端末装置の表示するコードパターンを読み取った決済装置から送られた決済管理番号により特定される決済情報を、当該決済装置に供給する決済情報供給手段と、を備え、
前記決済情報供給手段は、当該決済装置にて決済の請求金額を表示させて決済を行わせるために、決済情報を供給する、
ことを特徴とする決済サーバ。
【発明の詳細な説明】
【技術分野】
【０００１】
この発明は、携帯型情報端末等を使用した決済システムにおける決済サーバに関する。
【背景技術】
【０００２】
近年、インターネット等の普及（利用度の高まり）により、利用者が所有するコンピュータ端末等を使用して、ネットワークを介した様々なサービスが利用できるようになっている。中でも、オンラインショッピングは、従来のカタログ等による通信販売よりも、新商品の掲載等が早いことや、申し込み等が容易であることなどから、多くの利用者が活用している。
また、最近のオンラインショッピングは、商品だけでなくソフトウエア等のデジタルコンテンツもオンラインで購入することができるようになり、新たな、需要の伸びも期待されている。
【０００３】
一方、一般の商取引にて販売拡大等のためにクーポン券等が用いられている。クーポン券は、新聞広告等に付随されたり、店頭等にて配布されたりして、利用者の手元に届く。利用者は、取得したクーポン券を対象の店舗に持参して、会計の際に提出することにより、所定の割引額を差し引いた金額で商品等を購入することができる。そして、このようなクーポン券を情報化して取り扱うシステムも知られている（例えば、特許文献１参照）。
【特許文献１】特開平０７−３３４５９０号公報  （第５−９頁、第３図）
【０００４】
また、所定の特典を利用できる店舗会員等を募り、各会員に会員証を配布するサービス体系も知られている。会員（利用者）は、対象店舗にて会員証を提示して商品を購入することにより、購入金額等に応じたポイント等を取得できる。
【発明の開示】
【発明が解決しようとする課題】
【０００５】
前述したオンラインショッピングにおける代金の支払いは、最近では電子マネー等も注目されているが、未だ、クレジットカード等が一般に使用されている。
例えば、利用者は、商品等の購入時にカード番号や暗証番号等の情報をオンラインショッピングのサイトに送信する。なお、インターネット等の開放型のネットワークにてこのようなカード番号等を送信する際には、途中のデータ盗用及びデータ改竄等を防止するために、暗号化等を施してこれらの情報を送信している。
しかしながら、カード番号等にこのような暗号化等を施しても、送信したデータが盗用されてしまうのではないかという漠然とした不安や、カードによる決済時に自己の口座から引き落とされる金額等が実感できないといった不安感が、利用者に残っている。このような不安感が利用者の購買意欲を低下させ、オンラインショッピングに代表されるサイバービジネスの発展を阻害していた。
【０００６】
また、オンラインショッピングの代金の支払いを、クレジットカード等に限ってしまうと、与信対象とならない１８才未満の未成年者、例えば、小・中校生を対象とした児童用のデジタルコンテンツ等に対する売り上げの見込みがあまり期待できない等、ビジネス分野が限定されるといった欠点があった。
すなわち、誰もが安全かつ容易にオンラインショッピングの代金を支払うことのできる決済手段が確立されていない点が問題であった。
【０００７】
一方、クーポン券等を利用した商取引は、顧客の購買意欲を高めるのに効果があるが、利用者（顧客）を特定したり、クーポン券等を利用した顧客の動向を容易に把握することができない。すなわち、単純にクーポン券等を利用者に配布しても、各顧客毎の利用履歴等を収集することが困難であるため、顧客の購入状況や、クーポン券の配布による効果等を適切に把握することができなかった。
また、利用者側からすると、たくさんのクーポン券や会員証をいつでも携帯していないと、割引やポイント加算といったメリットを享受できないといった問題があった。
【０００８】
この発明は、上記実状に鑑みてなされたもので、携帯型情報端末等を使用して代金の支払い等を容易に行うことのできる決済サーバを提供することを目的とする。
【課題を解決するための手段】
【０００９】
上記目的を達成するため、本発明の第１の観点に係る決済サーバは、
決済情報を携帯端末装置に送信して、当該携帯端末装置にコードパターンを表示させる決済サーバであって、
決済情報を記憶する決済情報記憶手段と、
携帯端末装置から送信される決済要求情報に基づいて、保持している決済情報から対象の決済情報を読み出して携帯端末装置に送信する決済情報送信手段と、を備え、
前記決済情報送信手段は、携帯端末装置が表示したコードパターンを決済装置に読み取らせ、当該決済装置にて復号した決済の請求金額を表示させて決済を行わせるために、決済情報を送信する、
ことを特徴とする。
【００１０】
この発明によれば、決済情報記憶手段は、決済情報を記憶する。また、決済情報送信手段は、携帯端末装置から送信される決済要求情報に基づいて、保持している決済情報から対象の決済情報を読み出して携帯端末装置に送信する。そしてまた、決済情報送信手段は、携帯端末装置が表示したコードパターンを決済装置に読み取らせ、当該決済装置にて復号した決済の請求金額を表示させて決済を行わせるために、決済情報を送信する。
この結果、携帯型情報端末等を使用して代金の支払い等を容易に行うことができる。
【００１１】
上記目的を達成するため、本発明の第２の観点に係る決済サーバは、
コード情報を携帯端末装置に送信して、当該携帯端末装置にコードパターンを表示させる決済サーバであって、
決済情報を当該決済情報を特定する決済管理番号と共に記憶する決済情報記憶手段と、
携帯端末装置から送信される決済要求情報に基づいて、前記決済情報記憶手段に記憶される決済情報から対象の決済管理番号を読み出し、当該決済管理番号を、コードパターンを規定するコード情報に変換するコード変換手段と、
前記コード変換手段が変換したコード情報を携帯端末装置に送信するコード情報送信手段と、
当該コード情報を受信した携帯端末装置の表示するコードパターンを読み取った決済装置から送られた決済管理番号により特定される決済情報を、当該決済装置に供給する決済情報供給手段と、を備え、
前記決済情報供給手段は、当該決済装置にて決済の請求金額を表示させて決済を行わせるために、決済情報を供給する、
ことを特徴とする。
【００１２】
この発明によれば、決済情報記憶手段は、決済情報を当該決済情報を特定する決済管理番号と共に記憶する。また、コード変換手段は、携帯端末装置から送信される決済要求情報に基づいて、決済情報記憶手段に記憶される決済情報から対象の決済管理番号を読み出し、当該決済管理番号を、コードパターンを規定するコード情報に変換する。コード情報送信手段は、コード変換手段が変換したコード情報を携帯端末装置に送信する。決済情報供給手段は、当該コード情報を受信した携帯端末装置の表示するコードパターンを読み取った決済装置から送られた決済管理番号により特定される決済情報を、当該決済装置に供給する。そしてまた、決済情報供給手段は、当該決済装置にて決済の請求金額を表示させて決済を行わせるために、決済情報を供給する。
この結果、携帯型情報端末等を使用して代金の支払い等を容易に行うことができる。
【発明の効果】
【００１３】
本発明によれば、携帯型情報端末等を使用して代金の支払い等を容易に行うことができる。
【発明を実施するための最良の形態】
【００１４】
本発明の実施の形態にかかる決済システムについて、以下図面を参照して説明する。
【００１５】
（実施形態１）
図１は、この発明の第１の実施の形態に適用される決済システムの一例を示す模式図である。このシステムは、携帯型情報端末１と、オンラインサービスサイト２と、提携店舗３とを備える。なお、携帯型情報端末１とオンラインサービスサイト２とは、インターネット４を介して接続され、また、オンラインサービスサイト２と提携店舗３とは、専用回線５を介して接続されている。この場合、オンラインサービスサイト２と提携店舗３とは、インターネット４等を介して接続されてもよい。
【００１６】
携帯型情報端末１は、携帯電話、ＰＤＡ（Personal Digital Assistants）端末、あるいはノート型・ブック型コンピュータ端末等からなる。なお、携帯型情報端末１を、図２に示すような携帯電話を一例として以下、説明する。
携帯型情報端末１は、図２に示すように、ディスプレイ１１と、テンキー１２とを含んで構成されている。
【００１７】
ディスプレイ１１は、例えば、液晶パネル等からなり、所定のメニュー画面を表示するだけでなく、オンラインサービスサイト２から送られた後述するバーコード情報に従って、所定のバーコードパターンを表示する。
【００１８】
テンキー１２は、利用者からの指示情報等を入力する。例えば、テンキー１２は、携帯型情報端末１からオンラインサービスサイト２への接続時に、利用者の操作に従って、ユーザＩＤやパスワード等を入力する。
【００１９】
図１に戻って、オンラインサービスサイト２は、オンラインショップ２１と、認証サーバ２２と、バーコード変換部２３と、決済サーバ２４とを含んで構成される。
【００２０】
オンラインショップ２１は、例えば、所定の仮想店舗を表すホームページ（Ｗｅｂページ）を構成するＨＴＭＬ（Hyper Text Markup Language）ファイル、ＨＤＭＬ（Handheld Device Markup Language）ファイル、ＸＭＬ（Extensible Markup Language）ファイル及び画像情報等を記憶するＷｅｂサーバであって、認証サーバ２２を介して、携帯型情報端末１と接続する。なお、携帯型情報端末１は、キャリア網を介してオンラインショップ２１等と接続してもよい。
【００２１】
認証サーバ２２は、例えば、通信制御装置及び、磁気記憶装置等を備えた汎用のワークステーション等からなり、インターネット４を介して、携帯型情報端末１と接続する。
また、認証サーバ２２は、具備した磁気記憶装置に、図３に示すような利用者固有情報を予め記憶する。図３に示す利用者固有情報は、利用者ＩＤ、パスワード、利用者氏名及び、住所等からなる利用者を特定するための種々の情報である。
【００２２】
図１に戻って、バーコード変換部２３は、決済サーバ２４から与えられた後述する決済確認情報を、所定のバーコードパターンを規定するバーコード情報に変換し、変換したバーコード情報を決済サーバ２４に供給する。なお、バーコード情報により規定されるバーコードパターンの形式は、ＪＡＮ（Japanese Article Number）、ＣＯＤＥ３９、ＮＷ−７、二次元コード（二次元バーコード）、及び、文字コード等、任意である。
【００２３】
決済サーバ２４は、例えば、通信制御装置及び、磁気記憶装置等を備えた汎用のワークステーション等からなり、専用回線５を介して、提携店舗３と接続する。
また、決済サーバ２４は、具備した磁気記憶装置に、後述する決済情報生成処理にて生成される図４に示すような決済情報を記憶する。図４に示す決済情報は、決済管理番号、利用者ＩＤ、利用者氏名、商品番号、単価、及び、個数等からなる購入した利用者及び購入商品等を特定するための種々の情報である。
なお、図４に示す決済情報に、値引き額等の通常の商取引で生じる情報を含めてもよい。
【００２４】
図１に戻って、提携店舗３は、予めオンラインサービスサイト２と提携しているコンビニエンスストア、ファミリーレストラン、ガソリンスタンド等の店舗であり、バーコードリーダ３１と、ＰＯＳレジスタ３２と、決済コントローラ３３と、接続先記憶部３４とを含んで構成される。
【００２５】
バーコードリーダ３１は、ＰＯＳレジスタ３２に予め接続され、例えば、光源としてのＬＥＤ（Light Emitting Diode）光をバーコードパターンに照射し、その反射光をＣＣＤ（Charge Coupled Device）イメージセンサにて受信することによりバーコードパターン情報を取得する。そして、取得したバーコードパターン情報を、デコード回路によりバーコード情報にデコードし、デーコードしたバーコード情報を接続されたＰＯＳレジスタ３２に供給する。
【００２６】
ＰＯＳ（Point Of Sales）レジスタ３２は、提携店舗３に備えられた販売時点情報管理を行う端末であり、接続されたバーコードリーダ３１を介して取得したバーコード情報を決済コントローラ３３に供給する。
【００２７】
決済コントローラ３３は、所定のストアコントローラ等からなり、専用回線５を介して、決済サーバ２４と接続する。決済コントローラ３３は、ＰＯＳレジスタ３２から送られたバーコード情報を決済サーバ２４に供給する。また、決済コントローラ３３は、決済サーバ２４から送られる決済情報を取得し、取得した決済情報をＰＯＳレジスタ３２に供給する。
【００２８】
接続先記憶部３４は、図５に示すような接続先情報を予め記憶する。図５に示す接続先情報は、決済サーバＩＤと、決済サーバＩＤに対応した決済サーバ２４への専用回線５を介した接続先番号とからなる情報である。
【００２９】
以下、この第１の実施の形態に係る決済システムにおける決済情報生成処理及び、決済処理について説明する。
まず、決済情報生成処理について図６を参照して説明する。図６は、決済情報生成処理を説明するためのフローチャートである。図６に示す決済情報生成処理は、利用者が携帯型情報端末１を操作して、オンラインサービスサイト２にインターネット４を介してアクセスした際に開始する。
【００３０】
まず、携帯型情報端末１は、利用者の操作に従って、インターネット４を介して認証サーバ２２に接続する（ステップＳ１１）。
【００３１】
携帯型情報端末１は、利用者によりテンキー１２から入力された利用者ＩＤ及びパスワードを送信し、オンラインショップ２１にログインする（ステップＳ１２）。ログイン後、携帯型情報端末１は、オンラインショップ２１の仮想店舗における商品等の一覧をディスプレイ１１に表示する。
【００３２】
携帯型情報端末１は、利用者が購入を希望する商品等のコード等を例えば、テンキー１２から入力すると、図７（ａ）に示すような購入要求情報１０１を生成し、生成した購入要求情報１０１をオンラインショップ２１に送信する（ステップＳ１３）。
【００３３】
オンラインサービスサイト２のオンラインショップ２１は、受信した購入要求情報１０１に対し、所定の妥当性チェックをした後に、受信した購入要求情報１０１を認証サーバ２２に供給する（ステップＳ２１）。
【００３４】
認証サーバ２２は、購入要求情報１０１を取得すると、図３に示す利用者固有情報から該当する利用者ＩＤ等を取得し、図７（ｂ）に示すような購入情報１０２を生成する（ステップＳ２２）。認証サーバ２２は、生成した購入情報１０２を決済サーバ２４に供給する。
【００３５】
決済サーバ２４は、購入情報１０２を取得すると、所定の採番カウンタから採番された決済管理番号を付加した後、図４に示すように決済情報の１明細として図示せぬ磁気記憶装置に記憶する（ステップＳ２３）。
【００３６】
また、決済サーバ２４は、認証サーバ２２を介して、今回採番した決済管理番号を携帯型情報端末１に送信する（ステップＳ２４）。
【００３７】
携帯型情報端末１は、受信した決済管理番号をディスプレイ１１に表示する（ステップＳ１４）。
この結果、決済サーバ２４には、決済管理番号にて特定し得る決済情報が記憶され、また、携帯型情報端末１には、その決済管理番号がオンラインサービスサイト２から通知される。
【００３８】
次に、決済処理について図８を参照して説明する。図８は、決済処理を説明するためのフローチャートである。図８に示す決済処理は、上記、図６に示す決済情報生成処理を行った後、利用者が携帯型情報端末１を操作して、オンラインサービスサイト２にインターネット４を介してアクセスした際に開始する。
【００３９】
まず、携帯型情報端末１は、利用者の操作に従って、インターネット４を介して認証サーバ２２に接続する（ステップＳ３１）。
【００４０】
携帯型情報端末１は、利用者によりテンキー１２から入力された決済管理番号等から図９（ａ）に示すような決済要求情報１０３を生成し、生成した決済要求情報１０３を認証サーバ２２に送信する（ステップＳ３２）。
【００４１】
オンラインサービスサイト２の認証サーバ２２は、決済要求情報１０３を受信すると、利用者ＩＤ及びパスワードを確認した後、決済要求情報１０３に含まれる決済管理番号及び利用者ＩＤを決済サーバ２４に供給する（ステップＳ４１）。
【００４２】
決済サーバ２４は、取得した決済管理番号及び利用者ＩＤが、図４に示す決済情報に含まれることを確認すると、図９（ｂ）に示すような決済確認情報１０４を生成する（ステップＳ４２）。なお、決済サーバ２４は、取得した決済管理番号及び利用者ＩＤが、決済情報に含まれないと判別した場合、所定のエラーメッセージを携帯型情報端末１に送信し、処理を終了する。
【００４３】
決済サーバ２４は、生成した決済確認情報１０４をバーコード変換部２３を使用して、バーコード情報に変換する（ステップＳ４３）。なお、このバーコード情報は、決済確認情報１０４を表すためのバーコードパターンを規定する情報である。
【００４４】
決済サーバ２４は、変換したバーコード情報を認証サーバ２２を介して携帯型情報端末１に送信する（ステップＳ４４）。
【００４５】
携帯型情報端末１は、認証サーバ２２から送られたバーコード情報を受信すると、図９（ｃ）に示すように、ディスプレイ１１にバーコードパターン１０５を表示する（ステップＳ３３）。なお、携帯型情報端末１は、バーコードパターン１０５を表示する際に、ディスプレイ１１における表示位置や、表示輝度の調整、及び、不要情報の消去等を行い、バーコードリーダ３１が、バーコードパターン１０５を読み取り易くする。
【００４６】
提携店舗３のＰＯＳレジスタ３２は、ディスプレイ１１に表示されたバーコードパターン１０５をバーコードリーダ３１を介して読み取り、バーコードリーダ３１にてデコードされた決済確認情報１０４を取得する（ステップＳ５１）。ＰＯＳレジスタ３２は、取得した決済確認情報１０４を決済コントローラ３３に供給する。
【００４７】
決済コントローラ３３は、決済確認情報１０４を取得すると、接続先記憶部３４に記憶されている図５に示す接続先情報を参照し、決済サーバＩＤに従って定まる決済サーバ２４へ、専用回線５を介して接続する（ステップＳ５２）。
【００４８】
決済コントローラ３３は、決済サーバ２４に決済管理番号及び利用者ＩＤを送信する（ステップＳ５３）。
【００４９】
決済サーバ２４は、決済管理番号及び利用者ＩＤを受信すると（ステップＳ４５）、受信した決済管理番号及び利用者ＩＤが、図４に示す決済情報に含まれることを確認する。なお、決済サーバ２４は、取得した決済管理番号及び利用者ＩＤが、決済情報に含まれないと判別した場合、所定のエラーメッセージを決済コントローラ３３に送信し、処理を終了する。
【００５０】
決済サーバ２４は、図４に示す決済情報から図９（ｄ）に示すような決済情報明細１０６を抽出し、抽出した決済情報明細１０６を決済コントローラ３３に送信する（ステップＳ４６）。
【００５１】
決済コントローラ３３は、受信した決済情報明細１０６をＰＯＳレジスタ３２に供給する（ステップＳ５４）。
【００５２】
ＰＯＳレジスタ３２は、決済情報明細１０６を取得すると、単価と個数から請求金額を算出し、算出した請求金額を所定の画面に表示する（ステップＳ５５）。
【００５３】
ＰＯＳレジスタ３２は、利用者から受け取った金額を入力すると、決済情報明細１０６を印刷したレシートを発行する（ステップＳ５６）。
なお、ＰＯＳレジスタ３２は、所定のタイミング毎に、各利用者から受け取った金額（収納額）を集計し、集計した合計の収納額をオンラインサービスサイト２に送金する。
この結果、携帯型情報端末１を使用してオンラインショッピング等の代金の支払いを安全かつ容易に行うことができる。
【００５４】
上記の第１の実施の形態では、バーコードパターン１０５を携帯型情報端末１のディスプレイ１１上に表示させたが、ディスプレイ１１を構成する表示素子等の制約からバーコードパターンを表示できない場合に、他の媒体にてバーコードパターンを表示又は印刷させてもよい。
以下、提携店舗３に備えられたファクシミリ装置にバーコードパターンを印刷する、この発明の第２の実施の形態に係る決済システムについて図面を参照して説明する。
【００５５】
図１０は、この発明の第２の実施の形態に適用される決済システムの一例を示す模式図である。このシステムは、携帯型情報端末１と、オンラインサービスサイト２と、提携店舗３とを備える。なお、携帯型情報端末１とオンラインサービスサイト２とは、インターネット４を介して接続され、また、オンラインサービスサイト２と提携店舗３とは、専用回線５及び電話回線６を介して接続されている。
【００５６】
携帯型情報端末１、インターネット４及び専用回線５の構成等は、上記の第１の実施の形態と同様である。
【００５７】
オンラインサービスサイト２は、オンラインショップ２１と、認証サーバ２２と、バーコード変換部２３と、決済サーバ２４と、ファクシミリ送信部１２５とを含んで構成される。
オンラインショップ２１、認証サーバ２２、バーコード変換部２３、及び、決済サーバ２４の構成等は、上記の第１の実施の形態と同様である。
【００５８】
ファクシミリ送信部１２５は、所定のファクシミリ対応モデム等からなり、決済サーバ２４から供給されたバーコード情報に従って、電話回線６を介して、所定のバーコードパターン等をファクシミリ装置１３５に送信する。
【００５９】
提携店舗３は、バーコードリーダ３１と、ＰＯＳレジスタ３２と、決済コントローラ３３と、接続先記憶部３４と、ファクシミリ装置１３５とを含んで構成される。
バーコードリーダ３１、ＰＯＳレジスタ３２、決済コントローラ３３、及び、接続先記憶部３４の構成等は、上記の第１の実施の形態と同様である。
【００６０】
ファクシミリ装置１３５は、電話回線６を介してファクシミリ送信部１２５から送られたバーコード情報等を復元し、所定のバーコードパターンを含む画像を印刷する。
【００６１】
以下、この第２の実施の形態に係る決済システムにおける決済処理について図１１を参照して説明する。図１１は、決済処理を説明するためのフローチャートである。図１１に示す決済処理は、上述の図６に示す決済情報生成処理を行った後、利用者が携帯型情報端末１を操作して、オンラインサービスサイト２にインターネット４を介してアクセスした際に開始する。
【００６２】
まず、携帯型情報端末１は、利用者の操作に従って、インターネット４を介して認証サーバ２２に接続する（ステップＳ６１）。
携帯型情報端末１は、利用者によりテンキー１２から入力された決済管理番号等から図１２（ａ）に示すような決済要求情報２０１を生成し、生成した決済要求情報２０１を認証サーバ２２に送信する（ステップＳ６２）。
【００６３】
オンラインサービスサイト２の認証サーバ２２は、決済要求情報２０１を受信すると、利用者ＩＤ及びパスワードを確認した後、決済管理番号、利用者ＩＤ及び、ファクシミリ番号を決済サーバ２４に供給する（ステップＳ７１）。
決済サーバ２４は、取得した決済管理番号及び利用者ＩＤが、図４に示す決済情報に含まれることを確認すると、図１２（ｂ）に示すような決済確認情報２０２を生成する（ステップＳ７２）。なお、決済サーバ２４は、取得した決済管理番号及び利用者ＩＤが、決済情報に含まれないと判別した場合、所定のエラーメッセージを携帯型情報端末１に送信し、処理を終了する。
【００６４】
決済サーバ２４は、生成した決済確認情報２０２をバーコード変換部２３を使用して、バーコード情報に変換する（ステップＳ７３）。なお、このバーコード情報は、決済確認情報２０２を表すためのバーコードパターンを規定する情報である。
決済サーバ２４は、変換したバーコード情報及びファクシミリ番号等をファクシミリ送信部１２５に供給する（ステップＳ７４）。
【００６５】
ファクシミリ送信部１２５は、取得したファクシミリ番号に従って、バーコード情報等を電話回線６を介してファクシミリ装置１３５に送信する（ステップＳ７５）。
【００６６】
提携店舗３のファクシミリ装置１３５は、バーコード情報等を受信すると、図１２（ｃ）に示すように、所定の用紙にバーコードパターン２０３を含む画像を印刷する（ステップＳ８１）。
【００６７】
ＰＯＳレジスタ３２は、所定の用紙に印刷されたバーコードパターン２０３をバーコードリーダ３１を介して読み取り、バーコードリーダ３１にてデコードされた決済確認情報２０２を取得する（ステップＳ８２）。ＰＯＳレジスタ３２は、取得した決済確認情報２０２を決済コントローラ３３に供給する。
決済コントローラ３３は、決済確認情報２０２を取得すると、接続先記憶部３４に記憶されている図５に示す接続先情報を参照し、決済サーバＩＤに従って定まる決済サーバ２４へ、専用回線５を介して接続する（ステップＳ８３）。
決済コントローラ３３は、決済サーバ２４に決済管理番号及び利用者ＩＤを送信する（ステップＳ８４）。
【００６８】
決済サーバ２４は、決済管理番号及び利用者ＩＤを受信すると（ステップＳ７６）、受信した決済管理番号及び利用者ＩＤが、図４に示す決済情報に含まれることを確認する。なお、決済サーバ２４は、取得した決済管理番号及び利用者ＩＤが、決済情報に含まれないと判別した場合、所定のエラーメッセージを決済コントローラ３３に送信し、処理を終了する。
決済サーバ２４は、図４に示す決済情報から図１２（ｄ）に示すような決済情報明細２０４を抽出し、抽出した決済情報明細２０４を決済コントローラ３３に送信する（ステップＳ７７）。
【００６９】
決済コントローラ３３は、受信した決済情報明細２０４をＰＯＳレジスタ３２に供給する（ステップＳ８５）。
ＰＯＳレジスタ３２は、決済情報明細２０４を取得すると、単価と個数から請求金額を算出し、算出した請求金額を所定の画面に表示する（ステップＳ８６）。
【００７０】
ＰＯＳレジスタ３２は、利用者から受け取った金額を入力すると、決済情報明細２０４を印刷したレシートを発行する（ステップＳ８７）。
この結果、携帯型情報端末１を使用してオンラインショッピング等の代金の支払いを安全かつ容易に行うことができる。
【００７１】
上記の第２の実施の形態では、提携店舗３に備えられたファクシミリ装置１３５にバーコードパターン２０３を印刷させたが、提携店舗３にファクシミリ装置が備えられていない場合等に、他の媒体にてバーコードパターンを表示させてもよい。以下、オンラインサービスサイト２に備えられたプリンタにバーコードパターンを印刷する、この発明の第３の実施の形態に係る決済システムについて図面を参照して説明する。
【００７２】
図１３は、この発明の第３の実施の形態に適用される決済システムの一例を示す模式図である。このシステムは、携帯型情報端末１と、オンラインサービスサイト２と、提携店舗３とを備える。なお、携帯型情報端末１とオンラインサービスサイト２とは、インターネット４を介して接続され、また、オンラインサービスサイト２と提携店舗３とは、専用回線５を介して接続されている。
【００７３】
携帯型情報端末１、提携店舗３、インターネット４及び専用回線５の構成等は、上述した第１の実施の形態と同様である。
【００７４】
オンラインサービスサイト２は、オンラインショップ２１と、認証サーバ２２と、バーコード変換部２３と、決済サーバ２４と、プリンタ２２６とを含んで構成される。
オンラインショップ２１、認証サーバ２２、バーコード変換部２３及び、決済サーバ２４の構成等は、上述した第１の実施の形態と同様である。
【００７５】
プリンタ２２６は、所定の連帳（連続帳票）プリンタ等からなり、決済サーバ２４から送られたバーコード情報に従って、所定のバーコードパターン等を印刷する。
【００７６】
以下、この第３の実施の形態に係る決済システムにおける決済処理について図１４を参照して説明する。図１４は、決済処理を説明するためのフローチャートである。図１４に示す決済処理は、上述の図６に示す決済情報生成処理を行った後、利用者が携帯型情報端末１を操作して、オンラインサービスサイト２にインターネット４を介してアクセスした際に開始する。
【００７７】
まず、携帯型情報端末１は、利用者の操作に従って、インターネット４を介して認証サーバ２２に接続する（ステップＳ９１）。
携帯型情報端末１は、利用者によりテンキー１２から入力された決済管理番号等から図１５（ａ）に示すような決済要求情報３０１を生成し、生成した決済要求情報３０１を認証サーバ２２に送信する（ステップＳ９２）。
【００７８】
オンラインサービスサイト２の認証サーバ２２は、決済要求情報３０１を取得すると、利用者ＩＤ及びパスワードを確認した後、決済管理番号及び利用者ＩＤを決済サーバ２４に供給する（ステップＳ１０１）。
決済サーバ２４は、取得した決済管理番号及び利用者ＩＤが、図４に示す決済情報に含まれることを確認すると、図１５（ｂ）に示すような決済確認情報３０２を生成する（ステップＳ１０２）。なお、決済サーバ２４は、取得した決済管理番号及び利用者ＩＤが、決済情報に含まれないと判別した場合、所定のエラーメッセージを携帯型情報端末１に送信し、処理を終了する。
【００７９】
決済サーバ２４は、生成した決済確認情報３０２をバーコード変換部２３を使用して、バーコード情報に変換する（ステップＳ１０３）。なお、このバーコード情報は、決済確認情報３０２を表すためのバーコードパターンを規定する情報である。
決済サーバ２４は、変換したバーコード情報及び、住所等をプリンタ２２６に供給し、バーコードパターンを印刷する（ステップＳ１０４）。すなわち、バーコード情報等を取得したプリンタ２２６は、図１５（ｃ）に示すように、所定の連帳シートにバーコードパターン３０３を含む画像を印刷する。
オンラインサービスサイト２の作業者等は、連帳シートの一片を所定の封筒に入れた後、利用者宛に郵送する。
【００８０】
利用者は、バーコードパターン３０３が印刷されたシートを郵送により受け取ると、提携店舗３に持ち寄る。
提携店舗３のＰＯＳレジスタ３２は、シートに印刷されたバーコードパターンをバーコードリーダ３１を介して読み取り、バーコードリーダ３１にてデコードされた決済確認情報３０２を取得する（ステップＳ１１１）。ＰＯＳレジスタ３２は、取得した決済確認情報３０２を決済コントローラ３３に供給する。
決済コントローラ３３は、決済確認情報３０２を取得すると、接続先記憶部３４に記憶されている図５に示す接続先情報を参照し、決済サーバＩＤに従って定まる決済サーバ２４へ、専用回線５を介して接続する（ステップＳ１１２）。
決済コントローラ３３は、決済サーバ２４に決済管理番号及び利用者ＩＤを送信する（ステップＳ１１３）。
【００８１】
決済サーバ２４は、決済管理番号及び利用者ＩＤを受信すると（ステップＳ１０５）、受信した決済管理番号及び利用者ＩＤが、図４に示す決済情報に含まれることを確認する。なお、決済サーバ２４は、取得した決済管理番号及び利用者ＩＤが、決済情報に含まれないと判別した場合、所定のエラーメッセージを決済コントローラ３３に送信し、処理を終了する。
決済サーバ２４は、図４に示す決済情報から図１５（ｄ）に示すような決済情報明細３０４を抽出し、抽出した決済情報明細３０４を決済コントローラ３３に送信する（ステップＳ１０６）。
【００８２】
決済コントローラ３３は、受信した決済情報明細３０４をＰＯＳレジスタ３２に供給する（ステップＳ１１４）。
ＰＯＳレジスタ３２は、決済情報明細３０４を取得すると、単価と個数から請求金額を算出し、算出した請求金額を所定の画面に表示する（ステップＳ１１５）。
【００８３】
ＰＯＳレジスタ３２は、利用者から受け取った金額を入力すると、決済情報明細３０４を印刷したレシートを発行する（ステップＳ１１６）。
この結果、携帯型情報端末１を使用してオンラインショッピング等の代金の支払いを安全かつ容易に行うことができる。
【００８４】
上記の第３の実施の形態では、オンラインサービスサイト２に備えられたプリンタ２２６によりバーコードパターン等が印刷された用紙を郵送したが、別途、ファクシミリ装置にて、利用者の家や、提携店舗３に備えられたファクシミリ装置１３５に送信してもよい。
【００８５】
上記の第１〜第３の実施の形態では、決済サーバ２４が決済情報を記憶し、携帯型情報端末１に、決済情報を特定するための決済管理番号を送信する場合について説明したが、携帯型情報端末１に、直接、決済情報を送信してもよい。
例えば、携帯型情報端末１は、決済情報を受信すると、受信した決済情報を規定する２次元コード情報を生成して記憶する。そして、決済時に、携帯型情報端末１は、２次元コード情報に従って、２次元コードパターンを生成して、ディスプレイ１１に表示する。
この場合、提携店舗３のＰＯＳレジスタ３２が、２次元コードパターンを読み取り、決済コントローラ３３等を介すことなく、直ちに決済情報に従った請求金額を算出することができる。
【００８６】
上記の第１〜第３の実施の形態では、利用者が、オンラインサービスサイト２のオンラインショップ２１にて所定の商品等を購入し、購入した商品等の代金の支払いを行う場合の決済システムについて説明したが、代金の収納を依頼する所定の依頼業者への代金の支払いを行う場合にも適宜利用可能である。
以下、代金収納依頼業者が代金収納を依頼した場合において、代金の支払いを行うこの発明の第４の実施の形態に係る決済システムについて図面を参照して説明する。
【００８７】
図１６は、この発明の第４の実施の形態に適用される決済システムの一例を示すブロック図である。図１６に示すように、決済システムは、携帯型情報端末１と、提携店舗３と、依頼業者７と、管理センタ８と、移動体通信管理業者９とから構成される。
なお、携帯型情報端末１は、上記の実施の形態と同様に、図２に示すようなディスプレイ１１を備えた携帯電話等からなる。また、提携店舗３は、上述のバーコートリーダ３１及びＰＯＳレジスタ３２等を備えている。
【００８８】
依頼業者７は、代金収納を管理センタ８に依頼する代金収納依頼業者であり、所定のコンピュータシステムを備えている。また、移動体通信管理業者９は、所定方式の移動体通信サービスを利用者に提供する業者であり、管理センタ８から送られた後述する振込情報に従って、対象の携帯型情報端末１に対して、コード情報等を送信する。
【００８９】
管理センタ８は、提携店舗３、依頼業者７、及び、移動体通信管理業者９と所定のネットワークを介して接続されており、代金収納管理サーバ８１と、収納実績管理ＤＢ８２と、利用者管理ＤＢ８３とを備えて構成される。
【００９０】
代金収納管理サーバ８１は、通信制御装置等を備えたワークステーション等からなり、代金の収納を依頼するための代金収納依頼情報を依頼業者７から取得する。
代金収納管理サーバ８１は、取得した代金収納依頼情報に従って、利用者の携帯型情報端末１に表示するためのコード情報等（振込情報）を移動体通信管理業者９を介して、対象の携帯型情報端末１に向けて送信する。なお、代金収納管理サーバ８１は、コード情報等を直接対象の携帯型情報端末１に向けて送信してもよい。
また、代金収納管理サーバ８１は、取得した代金収納依頼情報に従って、後述する振込受入情報を生成して、対象の提携店舗３に送信する。
【００９１】
そして、代金収納管理サーバ８１は、提携店舗３から送られる収納情報（代金収納の実行情報）に従って、収納実績管理ＤＢ８２に記憶した後述する収納管理情報等を更新する。
代金収納管理サーバ８１は、所定のタイミング毎に、収納実績管理ＤＢ８２にて更新された収納管理情報等に従って、収納実績情報及び収納合計情報等を生成する。
代金収納管理サーバ８１は、生成した収納実績情報及び収納合計情報を依頼業者７に送信し、また、生成した収納合計情報を提携店舗３に送信する。
【００９２】
収納実績管理ＤＢ８２は、図１７（ａ）に示すような収納管理情報及び、図１７（ｂ）に示すような収納金額管理情報を記憶する。
図１７（ａ）に示す収納管理情報は、代金収納依頼業者、収納情報（振込情報）を特定するための振込情報ＩＤ、収納金額、収納日時、収納店舗、及び、利用者ＩＤ等からなる。
この収納管理情報は、図示するように、代金収納依頼業者単位に、上記の情報が分けられて管理される。なお、図中の収納金額、収納日時、及び、収納店舗は、提携店舗３から収納情報が送られた際に、代金収納管理サーバ８１により更新される。
【００９３】
また、図１７（ｂ）に示す収納金額管理情報は、代金収納依頼業者、収納店舗、及び、収納合計金額等からなる。
この収納金額管理情報は、図示するように、代金収納依頼業者単位に、各収納店舗における収納額の合計額が管理される。なお、各収納店舗の収納合計金額は、提携店舗３から収納情報が送られた際に、代金収納管理サーバ８１により更新される。
【００９４】
利用者管理ＤＢ８３は、図１８に示すような利用者管理情報を記憶する。図示するように、利用者管理情報は、利用者ＩＤ、携帯型情報端末１の電話番号、及び端末種別等からなる。
この利用者管理情報は、代金収納管理サーバ８１が、移動体通信管理業者９を介して、対象の携帯型情報端末１に向けて振込情報を送信する際に使用される。
【００９５】
以下、この発明の第４の実施の形態にかかる決済システムの動作について、図１９〜図２２を参照して説明する。なお、図１９は、管理センタ８が行う振込情報発行処理を説明するためのフローチャートである。また、図２１は、携帯型情報端末１、提携店舗３、及び管理センタ８が行う決済処理を説明するためのフローチャートである。
まず、図１９に示す振込情報発行処理について説明する。なお、図１９に示す振込情報発行処理は、依頼業者７から所定の代金収納依頼情報が供給された際に開始される。
【００９６】
まず、管理センタ８の代金収納管理サーバ８１は、依頼業者７から送られた代金収納依頼情報に従って、図２０（ａ）に示すような振込情報４０１を生成する（ステップＳ２０１）。なお、振込情報４０１における振込情報ＩＤ及び、利用者ＩＤは、バーコード等のコード情報に変換されている。
【００９７】
代金収納管理サーバ８１は、生成した振込情報４０１を移動体通信管理業者９に送信する（ステップＳ２０２）。
移動体通信管理業者９は、振込情報４０１を受信すると、受信した振込情報４０１に含まれる電話番号先に、コード情報等（振込情報）を送信する。
【００９８】
また、代金収納管理サーバ８１は、代金収納依頼情報に従って、図２０（ｂ）に示すような振込受入情報４０２を生成する（ステップＳ２０３）。すなわち、代金収納管理サーバ８１は、提携店舗３にて代金収納を行う際に、収納代金等を特定するための振込受入情報４０２を生成する。
【００９９】
代金収納管理サーバ８１は、生成した振込受入情報４０２を対象の提携店舗３に送信する（ステップＳ２０４）。
各提携店舗３は、振込受入情報４０２を受信すると、受信した振込受入情報４０２を所定の記憶部に記憶する。
【０１００】
次に、図２１に示す決済処理について説明する。なお、図２１に示す決済処理は、移動体通信管理業者９からコード情報等（振込情報）が携帯型情報端末１に送られた後に開始する。
【０１０１】
まず、携帯型情報端末１は、移動体通信管理業者９から送られたコード情報を受信する（ステップＳ２１１）。
そして、携帯型情報端末１は、利用者の操作に従って、提携店舗３にてコード情報をディスプレイ１１に表示する（ステップＳ２１２）。すなわち、ディスプレイ１１にバーコードパターン等を表示する。
【０１０２】
一方、提携店舗３は、携帯型情報端末１のディスプレイ１１に表示されたコード情報を読み取り、振込受入情報４０２と照合する（ステップＳ２２１）。すなわち、提携店舗３に備えられたＰＯＳ端末に接続されたバーコードリーダ等にてコード情報を読み取り、代金収納管理サーバ８１から送られていた振込受入情報４０２と照合する。
【０１０３】
振込受入情報４０２との照合により、代金収納が可能となると、提携店舗３は、利用者から支払われる代金を収納する（ステップＳ２２２）。
そして、提携店舗３は、図２２（ａ）に示すような収納情報４０３を生成し、生成した収納情報４０３を管理センタ８に送信する（ステップＳ２２３）。すなわち、代金収納の実行情報である収納情報４０３を管理センタ８に送信する。
【０１０４】
提携店舗３は、管理センタ８から送られる後述する収納合計情報を受信するまで、上述のステップＳ２２１〜Ｓ２２３の処理を繰り返し実行する（ステップＳ２２４）。すなわち、各利用者から支払われる代金を収納する度に、収納情報４０３を生成して管理センタ８に送信する。
【０１０５】
一方、管理センタ８の代金収納管理サーバ８１は、提携店舗３から送られる収納情報４０３を受信すると、受信した収納情報４０３に従って、収納実績管理ＤＢ８２を更新する（ステップＳ２３１）。すなわち、代金収納管理サーバ８１は、図１７（ａ）に示す収納管理情報及び、図１７（ｂ）に示す収納金額管理情報を、受信した収納情報４０３に従って更新する。
【０１０６】
代金収納管理サーバ８１は、所定のタイミングで、収納実績管理ＤＢ８２に記憶された情報に従って、図２２（ｂ）に示すような収納実績情報４０４、図２２（ｃ）に示すような収納合計情報４０５、及び、図２２（ｄ）に示すような収納合計情報４０６を生成する（ステップＳ２３２）。
すなわち、代金収納管理サーバ８１は、収納実績を示す図２２（ｂ）の収納実績情報４０４、代金収納依頼業者毎の収納合計（精算額）を示す図２２（ｃ）の収納合計情報４０５、及び、提携店舗３毎の収納合計（精算額）を示す図２２（ｄ）の収納合計情報４０６を生成する。
【０１０７】
代金収納管理サーバ８１は、生成した収納実績情報４０４及び、収納合計情報４０５を依頼業者７に送信する（ステップＳ２３３）。
また、代金収納管理サーバ８１は、生成した収納合計情報４０６を提携店舗３に送信する（ステップＳ２３４）。
【０１０８】
そして、収納合計情報４０６を受信した提携店舗３は、所定のタイミングで、受信した収納合計情報４０６に従った収納合計額を対象の依頼業者７に送金する（ステップＳ２２５）。
【０１０９】
この結果、所定の代金収納依頼業者が代金収納を依頼した場合においても、携帯型情報端末等を使用して代金の支払い等を容易に行うことができる。
【０１１０】
上記の第１〜第４の実施の形態では、利用者が、購入した商品等の代金の支払いを行う場合の決済システムについて説明したが、発行されたクーポンの割引金額等を考慮して、代金の支払いを行う場合にも適宜利用可能である。
以下、発行されたクーポンの割引金額等を考慮して、代金の支払いを行うこの発明の第５の実施の形態に係る決済システムについて図面を参照して説明する。
【０１１１】
図２３は、この発明の第５の実施の形態に適用される決済システムの一例を示すブロック図である。図２３に示すように、決済システムは、携帯型情報端末１と、提携店舗３と、依頼業者７と、管理センタ８と、移動体通信管理業者９とから構成される。
なお、携帯型情報端末１、提携店舗３、及び移動体通信管理業者９は、上記の第４の実施の形態と同様の構成である。また、依頼業者７は、この場合、クーポンの発行を管理センタ８に依頼するクーポン発行依頼業者である。
【０１１２】
管理センタ８は、提携店舗３、依頼業者７、及び、移動体通信管理業者９と所定のネットワークを介して接続されており、クーポン管理サーバ８４と、使用実績管理ＤＢ８５と、利用者管理ＤＢ８３とから構成される。なお、利用者管理ＤＢ８３は、上述の第４の実施の形態と同様の構成である。
【０１１３】
クーポン管理サーバ８４は、通信制御装置等を備えたワークステーション等からなり、クーポンの発行を依頼するためのクーポン発行依頼情報を依頼業者７から取得する。
クーポン管理サーバ８４は、取得したクーポン発行依頼情報に従って、利用者の携帯型情報端末１に表示するためのコード情報等（クーポン情報）を移動体通信管理業者９を介して、対象の携帯型情報端末１に向けて送信する。なお、クーポン管理サーバ８４は、コード情報等を直接対象の携帯型情報端末１に向けて送信してもよい。
また、クーポン管理サーバ８４は、取得した代金収納依頼情報に従って、後述するクーポン受入情報を生成して、提携店舗３に送信する。
【０１１４】
そして、クーポン管理サーバ８４は、提携店舗３から送られる収納情報（割引の実行情報）に従って、使用実績管理ＤＢ８５に記憶した使用管理情報等を更新する。
クーポン管理サーバ８４は、所定のタイミング毎に、使用実績管理ＤＢ８５にて更新された使用管理情報等に従って、使用実績情報及び精算合計情報等を生成する。クーポン管理サーバ８４は、生成した使用実績情報等を依頼業者７に送信する。
【０１１５】
使用実績管理ＤＢ８５は、図２４（ａ）に示すようなクーポン管理情報及び、図２４（ｂ）に示すような割引額管理情報を記憶する。
図２４（ａ）に示すクーポン管理情報は、クーポン発行依頼業者、発行したクーポン情報を特定するためのクーポンＩＤ、割引金額、使用日時、使用店舗、及び、利用者ＩＤ等からなる。
このクーポン管理情報は、図示するように、クーポン発行依頼業者単位に、上記の情報が分けられて管理される。なお、各情報は、提携店舗３から割引使用情報が送られた際に、クーポン管理サーバ８４により更新される。
【０１１６】
また、図２４（ｂ）に示す割引額管理情報は、クーポン発行依頼業者、使用店舗、及び、割引合計金額等からなる。
この割引額管理情報は、図示するように、クーポン発行依頼業者単位に、各使用店舗における割引の合計額が管理される。なお、各使用店舗の割引合計金額は、提携店舗３から割引使用情報が送られた際に、クーポン管理サーバ８４により更新される。
【０１１７】
以下、この発明の第５の実施の形態にかかる決済システムの動作について、図２５〜図２８を参照して説明する。なお、図２５は、管理センタ８が行うクーポン発行処理を説明するためのフローチャートである。また、図２７は、携帯型情報端末１、提携店舗３、及び管理センタ８が行う決済処理を説明するためのフローチャートである。
まず、図２５に示すクーポン発行処理について説明する。なお、図２５に示すクーポン発行処理は、依頼業者７から所定のクーポン発行依頼情報が供給された際に開始される。
【０１１８】
まず、管理センタ８のクーポン管理サーバ８４は、依頼業者７から送られたクーポン発行依頼情報に従って、図２６（ａ）に示すようなクーポン情報５０１を生成する（ステップＳ３０１）。なお、クーポン情報５０１におけるクーポンＩＤ及び、利用者ＩＤは、バーコード等のコード情報に変換されている。
【０１１９】
クーポン管理サーバ８４は、生成したクーポン情報５０１を移動体通信管理業者９に送信する（ステップＳ３０２）。
移動体通信管理業者９は、クーポン情報５０１を受信すると、受信したクーポン情報５０１に含まれる電話番号先に、コード情報等（クーポン情報）を送信する。
【０１２０】
また、クーポン管理サーバ８４は、依頼業者７から送られたクーポン発行依頼情報に従って、図２６（ｂ）に示すようなクーポン受入情報５０２を生成する（ステップＳ３０３）。すなわち、クーポン管理サーバ８４は、提携店舗３にて代金収納を行う際に、控除すべき割引額等を特定するためのクーポン受入情報５０２を生成する。
【０１２１】
クーポン管理サーバ８４は、生成したクーポン受入情報５０２を対象の提携店舗３に送信する（ステップＳ３０４）。
各提携店舗３は、クーポン受入情報５０２を受信すると、所定の記憶部に記憶する。
【０１２２】
次に、図２７に示す決済処理について説明する。なお、図２７に示す決済処理は、移動体通信管理業者９からコード情報等（クーポン情報）が携帯型情報端末１に送られた後に開始する。
【０１２３】
まず、携帯型情報端末１は、移動体通信管理業者９から送られたコード情報を受信する（ステップＳ３１１）。
そして、携帯型情報端末１は、利用者の操作に従って、提携店舗３にてコード情報をディスプレイ１１に表示する（ステップＳ３１２）。
【０１２４】
一方、提携店舗３は、携帯型情報端末１のディスプレイ１１に表示されたコード情報を読み取り、クーポン管理サーバ８４から送られていたクーポン受入情報５０２と照合する（ステップＳ３２１）。
【０１２５】
クーポン受入情報５０２との照合により、割引額等を特定すると、提携店舗３は、クーポン受入情報５０２に従って、割引金額を差し引いた代金を収納する（ステップＳ３２２）。
そして、提携店舗３は、図２８（ａ）に示すような割引使用情報５０３を生成し、管理センタ８に送信する（ステップＳ３２３）。すなわち、割引の実行情報である割引使用情報５０３を管理センタ８に送信する。
【０１２６】
提携店舗３は、依頼業者７から精算額の送金がなされるまで、上述のステップＳ３２１〜Ｓ３２３の処理を繰り返し実行する（ステップＳ３２４）。すなわち、各利用者から支払われる代金を収納する度に、割引使用情報５０３を生成して管理センタ８に送信する。
【０１２７】
一方、管理センタ８のクーポン管理サーバ８４は、提携店舗３から送られる割引使用情報５０３を受信すると、受信した割引使用情報５０３に従って、使用実績管理ＤＢ８５を更新する（ステップＳ３３１）。すなわち、クーポン管理サーバ８４は、図２４（ａ）に示すクーポン管理情報及び、図２４（ｂ）に示す割引額管理情報を、受信した割引使用情報５０３に従って更新する。
【０１２８】
クーポン管理サーバ８４は、所定のタイミングで、使用実績管理ＤＢ８５に記憶された情報に従って、図２８（ｂ）に示すような使用実績情報５０４、図２８（ｃ）に示すような精算合計情報５０５を生成する（ステップＳ３３２）。
すなわち、クーポン管理サーバ８４は、割引の使用実績を示す図２８（ｂ）の使用実績情報５０４、及び、クーポン発行依頼業者毎の割引額合計（精算額）を示す図２４（ｂ）の割引額管理情報を生成する。
【０１２９】
クーポン管理サーバ８４は、生成した使用実績情報５０４及び、精算合計情報５０５を依頼業者７に送信する（ステップＳ３３３）。
【０１３０】
そして、使用実績情報５０４等を受信した依頼業者７は、所定のタイミングで、受信した精算合計情報５０５に従った精算額を提携店舗３に送金する。
依頼業者７から精算額の送金がなされると、提携店舗３は、送られた精算額を取得する（ステップＳ３２５）。
【０１３１】
この結果、携帯型情報端末等を使用して発行されたクーポンの割引金額等を考慮した代金の支払い等を容易に行うことができる。
また、クーポン発行依頼業者は、利用者を特定してクーポンを発行することができると共に、どの利用者が、いつ、どこでクーポンを利用した購入等を行ったか等の利用状況を的確に収集することができる。
【０１３２】
上記の第５の実施の形態では、管理センタ８から（移動体通信管理業者９を介して）送られたコード情報（クーポン情報）を携帯型情報端末１にて取得し、取得したクーポン情報をディスプレイ１１等に表示させて使用したが、クーポン情報は、管理センタ８から送られたもの以外であっても使用可能としてもよい。
例えば、利用者の友人等から間接的に送られたクーポン情報をディスプレイ１１等に表示させて使用してもよい。
【０１３３】
この場合、携帯型情報端末１は、送信元の利用者（友人等）の利用者ＩＤ等を含めた割引使用情報５０３を生成して、管理センタ８に送信する。そして、クーポン管理サーバ８４は、使用実績管理ＤＢ８５に送信元の利用者ＩＤ等を含めたクーポン管理情報を記憶する。
クーポン管理サーバ８４が、送信元の利用者ＩＤ等を含めた使用実績情報５０４を生成して依頼業者７に送信することにより、依頼業者７は、クーポン情報を広めた利用者の情報も取得することができる。
【０１３４】
また、上記の第５の実施の形態では、発行されたクーポンの割引金額等を考慮して、代金の支払いを行う決済システムについて説明したが、クーポン以外に、会員証、請求書、及び、引換券等を使用した場合にも適宜利用可能である。
以下、発行された会員証を使用して、代金の支払い等を行うこの発明の第６の実施の形態に係る決済システムについて図面を参照して説明する。
【０１３５】
図２９は、この発明の第６の実施の形態に適用される決済システムの一例を示すブロック図である。図２９に示すように、決済システムは、携帯型情報端末１と、提携店舗３と、依頼業者７と、管理センタ８と、移動体通信管理業者９とから構成される。
なお、携帯型情報端末１、提携店舗３、及び移動体通信管理業者９は、上記の第４の実施の形態等と同様の構成である。また、依頼業者７は、この場合、会員証の発行を管理センタ８に依頼する会員証発行依頼業者である。
【０１３６】
管理センタ８は、提携店舗３、依頼業者７、及び、移動体通信管理業者９と所定のネットワークを介して接続されており、会員証管理サーバ８６と、利用実績管理ＤＢ８７と、利用者管理ＤＢ８３とから構成される。なお、利用者管理ＤＢ８３は、上述の第４の実施の形態等と同様の構成である。
【０１３７】
会員証管理サーバ８６は、通信制御装置等を備えたワークステーション等からなり、会員証の発行を依頼するための会員証発行依頼情報を依頼業者７から取得する。
会員証管理サーバ８６は、取得した会員証発行依頼情報に従って、利用者の携帯型情報端末１に表示するためのコード情報等（会員証情報）を移動体通信管理業者９を介して、対象の携帯型情報端末１に向けて送信する。なお、会員証管理サーバ８６は、コード情報等を直接対象の携帯型情報端末１に向けて送信してもよい。
また、会員証管理サーバ８６は、取得した会員証発行依頼情報に従って、後述する会員証受入情報を生成して、提携店舗３に送信する。
【０１３８】
そして、会員証管理サーバ８６は、提携店舗３から送られる会員証利用情報（会員証の使用情報）に従って、利用実績管理ＤＢ８７に記憶した利用管理情報等を更新する。
会員証管理サーバ８６は、所定のタイミング毎に、利用実績管理ＤＢ８７にて更新された利用管理情報等に従って、利用実績情報等を生成する。会員証管理サーバ８６は、生成した利用実績情報を依頼業者７に送信する。
【０１３９】
利用実績管理ＤＢ８７は、図３０に示すような利用管理情報を記憶する。
図３０に示す利用管理情報は、会員証発行依頼業者、発行した会員証情報を特定するための会員証ＩＤ、加算ポイント、利用日時、利用店舗、及び、利用者ＩＤ等からなる。
この利用管理情報は、図示するように、会員証発行依頼業者単位に、上述の情報が分けられて管理される。なお、各情報は、提携店舗３から会員証利用情報が送られた際に、会員証管理サーバ８６により更新される。
【０１４０】
以下、この発明の第６の実施の形態にかかる決済システムの動作について、図３１〜図３４を参照して説明する。なお、図３１は、管理センタ８が行う会員証発行処理を説明するためのフローチャートである。また、図３３は、提携店舗３、及び管理センタ８等が行う決済処理を説明するためのフローチャートである。
まず、図３１に示す会員証発行処理について説明する。なお、図３１に示す会員証発行処理は、依頼業者７から所定の会員証発行依頼情報が供給された際に開始される。
【０１４１】
まず、管理センタ８の会員証管理サーバ８６は、依頼業者７から送られた会員証発行依頼情報に従って、図３２（ａ）に示すような会員証情報６０１を生成する（ステップＳ４０１）。なお、会員証情報６０１における会員証ＩＤ及び、利用者ＩＤは、バーコード等のコード情報に変換されている。
【０１４２】
会員証管理サーバ８６は、生成した会員証情報６０１を移動体通信管理業者９に送信する（ステップＳ４０２）。
移動体通信管理業者９は、会員証情報６０１を受信すると、受信した会員証情報６０１に含まれる電話番号先に、コード情報（会員証情報）を送信する。
【０１４３】
また、会員証管理サーバ８６は、依頼業者７から送られた会員証発行依頼情報に従って、図３２（ｂ）に示すような会員証受入情報６０２を生成する（ステップＳ４０３）。すなわち、会員証管理サーバ８６は、提携店舗３にて代金収納を行う際に、加算すべきポイント等を特定するための会員証受入情報６０２を生成する。
【０１４４】
会員証管理サーバ８６は、生成した会員証受入情報６０２を対象の提携店舗３に送信する（ステップＳ４０４）。
各提携店舗３は、会員証受入情報６０２を受信すると、所定の記憶部に記憶する。
【０１４５】
次に、図３３に示す決済処理について説明する。なお、図３３に示す決済処理は、移動体通信管理業者９からコード情報が携帯型情報端末１に送られ、そして、利用者が、携帯型情報端末１を操作して、提携店舗３にてコード情報をディスプレイ１１に表示した後に開始する。
【０１４６】
まず、提携店舗３は、携帯型情報端末１のディスプレイ１１に表示されたコード情報を読み取り、会員証管理サーバ８６から送られていた会員証受入情報６０２と照合する（ステップＳ４１１）。
会員証受入情報６０２との照合により、加算ポイント等を特定すると、提携店舗３は、サービス等に対する代金を収納する（ステップＳ４１２）。
【０１４７】
提携店舗３は、特定した加算ポイント等に従って、図３４（ａ）に示すような会員証利用情報６０３を生成し、管理センタ８に送信する（ステップＳ４１３）。すなわち、会員証の使用情報である会員証利用情報６０３を管理センタ８に送信する。
【０１４８】
一方、管理センタ８の会員証管理サーバ８６は、提携店舗３から送られる会員証利用情報６０３を受信すると、受信した会員証利用情報６０３に従って、利用実績管理ＤＢ８７を更新する（ステップＳ４２１）。すなわち、会員証管理サーバ８６は、図３０に示す利用管理情報を受信した会員証利用情報６０３に従って更新する。
【０１４９】
会員証管理サーバ８６は、所定のタイミングで、利用実績管理ＤＢ８７に記録された情報に従って、図３４（ｂ）に示すような利用実績情報６０４を生成する（ステップＳ４２２）。すなわち、会員証の使用実績を示す図３４（ｂ）の利用実績情報６０４を生成する。
会員証管理サーバ８６は、生成した利用実績情報６０４を依頼業者７に送信する（ステップＳ４２３）。
【０１５０】
そして、依頼業者７は、利用実績情報６０４を受信すると、受信した利用実績情報６０４に従って、各会員の利用動向等を分析する。
この結果、発行された会員証を使用して、代金の支払い等を容易に行うことができる。
また、会員証発行依頼業者は、どの利用者（会員）が、いつ、どこで会員証を利用した購入等を行ったか等の利用状況を的確に収集することができる。
【０１５１】
上記の第１〜第６の実施の形態にて説明したように、本発明によれば、携帯型情報端末等を使用して代金の支払い等を容易に行うことができる。
【０１５２】
上記の第４〜第６の実施の形態では、携帯型情報端末１に、振込情報、クーポン情報、及び会員証情報を特定するためのコード情報を送信する場合について説明したが、携帯型情報端末１に、振込情報、クーポン情報、及び会員証情報を直接、送信してもよい。
例えば、携帯型情報端末１は、振込情報等を受信すると、受信した振込情報等を規定する２次元コード情報を生成して記憶する。そして、決済時に、携帯型情報端末１は、２次元コード情報に従って、２次元コードパターンを生成して、ディスプレイ１１に表示する。
この場合、提携店舗３のＰＯＳレジスタ３２が、２次元コードパターンを読み取り、直ちに振込情報等に従った請求金額を算出することができる。
【０１５３】
上記の実施の形態では、バーコード等のコードパターンを携帯型情報端末１のディスプレイ１１等に表示したが、バーコードパターン以外に、文字キャラクタ等を併せて表示してもよい。
例えば、提携店舗３のバーコードリーダ３１等にてバーコードパターンを読み取ることができない場合でも、併せて表示される文字キャラクタをＰＯＳレジスタ３２から入力でき、代金の収納等ができるようにしてもよい。
また、携帯型情報端末１に赤外線通信インタフェース等を設け、ＰＯＳレジスタ３２との情報の送受信を赤外線通信等にて行ってもよい。また、赤外線通信に限らずに、無線等にて通信を行ってもよい。
【０１５４】
なお、この発明の実施の形態にかかる決済システムは、専用のシステムによらず、通常のコンピュータシステムを用いて実現可能である。例えば、コンピュータに上述のいずれかを実行するためのプログラムを格納した媒体（フレキシブルディスク、ＣＤ−ＲＯＭ等）から該プログラムをインストールすることにより、上述の処理を実行する決済システムを構成することができる。
【０１５５】
また、コンピュータにプログラムを供給するための媒体は、通信媒体（通信回線、通信ネットワーク、通信システムのように、一時的かつ流動的にプログラムを保持する媒体）でも良い。例えば、通信ネットワークの掲示板（ＢＢＳ）に該プログラムを掲示し、これをネットワークを介して配信してもよい。
そして、このプログラムを起動し、ＯＳの制御下で、他のアプリケーションプログラムと同様に実行することにより、上述の処理を実行することができる。
【０１５６】
以上説明したように、本発明によれば、携帯型情報端末等を使用して代金の支払い等を容易に行うことができる。
【図面の簡単な説明】
【０１５７】
【図１】本発明の第１の実施の形態に係る決済システムの構成の一例を示す模式図である。
【図２】携帯型情報端末の一例を正面から見た外観図である。
【図３】認証サーバに予め記憶される利用者固有情報の一例を示す模式図である。
【図４】決済サーバに記憶される決済情報の一例を示す模式図である。
【図５】接続先記憶部に予め記憶される接続先情報の一例を示す模式図である。
【図６】本発明の第１の実施の形態に係る決済情報生成処理を説明するためのフローチャートである。
【図７】（ａ）が購入要求情報の一例を示す模式図であり、（ｂ）が購入情報の一例を示す模式図である。
【図８】本発明の第１の実施の形態に係る決済処理を説明するためのフローチャートである。
【図９】（ａ）が決済要求情報の一例を示す模式図であり、（ｂ）が決済確認情報の一例を示す模式図であり、（ｃ）がディスプレイに表示されるバーコードパターンの一例を示す模式図であり、（ｄ）が決済情報明細の一例を示す模式図である。
【図１０】本発明の第２の実施の形態に係る決済システムの構成の一例を示す模式図である。
【図１１】本発明の第２の実施の形態に係る決済処理を説明するためのフローチャートである。
【図１２】（ａ）が決済要求情報の一例を示す模式図であり、（ｂ）が決済確認情報の一例を示す模式図であり、（ｃ）が所定のファクシミリ用紙に印刷されるバーコードパターンの一例を示す模式図であり、（ｄ）が決済情報明細の一例を示す模式図である。
【図１３】本発明の第３の実施の形態に係る決済システムの構成の一例を示す模式図である。
【図１４】本発明の第３の実施の形態に係る決済処理を説明するためのフローチャートである。
【図１５】（ａ）が決済要求情報の一例を示す模式図であり、（ｂ）が決済確認情報の一例を示す模式図であり、（ｃ）が所定の連帳用紙に印刷されるバーコードパターンの一例を示す模式図であり、（ｄ）が決済情報明細の一例を示す模式図である。
【図１６】本発明の第４の実施の形態に係る決済システムの構成の一例を示す模式図である。
【図１７】収納実績管理ＤＢに記憶される情報の一例を示す模式図であって、（ａ）が収納実績管理情報であり、（ｂ）が収納金額管理情報である。
【図１８】利用者管理ＤＢに記憶される利用者管理情報の一例を示す模式図である。
【図１９】本発明の第４の実施の形態に係る振込情報発行処理を説明するためのフローチャートである。
【図２０】（ａ）が振込情報の一例を示す模式図であり、（ｂ）が振込受入情報の一例を示す模式図である。
【図２１】本発明の第４の実施の形態に係る決済処理を説明するためのフローチャートである。
【図２２】（ａ）が収納情報の一例を示す模式図であり、（ｂ）が収納実績情報の一例を示す模式図であり、（ｃ），（ｄ）が収納合計情報の一例を示す模式図である。
【図２３】本発明の第５の実施の形態に係る決済システムの構成の一例を示す模式図である。
【図２４】使用実績管理ＤＢに記憶される情報の一例を示す模式図であって、（ａ）がクーポン管理情報であり、（ｂ）が割引額管理情報である。
【図２５】本発明の第５の実施の形態に係るクーポン発行処理を説明するためのフローチャートである。
【図２６】（ａ）がクーポン情報の一例を示す模式図であり、（ｂ）がクーポン受入情報の一例を示す模式図である。
【図２７】本発明の第５の実施の形態に係る決済処理を説明するためのフローチャートである。
【図２８】（ａ）が割引使用情報の一例を示す模式図であり、（ｂ）が使用実績情報の一例を示す模式図であり、（ｃ）が精算合計情報の一例を示す模式図である。
【図２９】本発明の第６の実施の形態に係る決済システムの構成の一例を示す模式図である。
【図３０】利用実績管理ＤＢに記憶される利用管理情報の一例を示す模式図である。
【図３１】本発明の第６の実施の形態に係る会員証発行処理を説明するためのフローチャートである。
【図３２】（ａ）が会員証情報の一例を示す模式図であり、（ｂ）が会員証受入情報の一例を示す模式図である。
【図３３】本発明の第６の実施の形態に係る決済処理を説明するためのフローチャートである。
【図３４】（ａ）が会員証利用情報の一例を示す模式図であり、（ｂ）が利用実績情報の一例を示す模式図である。
【符号の説明】
【０１５８】
１      携帯型情報端末
２      オンラインサービスサイト
３      提携店舗
４      インターネット
５      専用回線
６      電話回線
７      依頼業者
８      管理センタ
９      移動体通信管理業者
１１    ディスプレイ
１２    テンキー
２１    オンラインショップ
２２    認証サーバ
２３    バーコード変換部
２４    決済サーバ
３１    バーコードリーダ
３２    ＰＯＳレジスタ
３３    決済コントローラ
３４    接続先記憶部
８１    代金収納管理サーバ
８２    収納実績管理ＤＢ
８３    利用者管理ＤＢ
８４    クーポン管理サーバ
８５    使用実績管理ＤＢ
８６    会員証管理サーバ
８７    利用実績管理ＤＢ
１２５  ファクシミリ送信部
１３５  ファクシミリ装置
２２６  プリンタ
【図１】
2005302048.tif 000003
【図２】
2005302048.tif 000004
【図３】
2005302048.tif 000005
【図４】
2005302048.tif 000006
【図５】
2005302048.tif 000007
【図６】
2005302048.tif 000008
【図７】
2005302048.tif 000009
【図８】
2005302048.tif 000010
【図９】
2005302048.tif 000011
【図１０】
2005302048.tif 000012
【図１１】
2005302048.tif 000013
【図１２】
2005302048.tif 000014
【図１３】
2005302048.tif 000015
【図１４】
2005302048.tif 000016
【図１５】
2005302048.tif 000017
【図１６】
2005302048.tif 000018
【図１７】
2005302048.tif 000019
【図１８】
2005302048.tif 000020
【図１９】
2005302048.tif 000021
【図２０】
2005302048.tif 000022
【図２１】
2005302048.tif 000023
【図２２】
2005302048.tif 000024
【図２３】
2005302048.tif 000025
【図２４】
2005302048.tif 000026
【図２５】
2005302048.tif 000027
【図２６】
2005302048.tif 000028
【図２７】
2005302048.tif 000029
【図２８】
2005302048.tif 000030
【図２９】
2005302048.tif 000031
【図３０】
2005302048.tif 000032
【図３１】
2005302048.tif 000033
【図３２】
2005302048.tif 000034
【図３３】
2005302048.tif 000035
【図３４】
2005302048.tif 000036